(57)【要約】【課題】組立・分解が容易であるとともに２つのＨＤＤを省スペースで積層して実装でき、しかも当該ＨＤＤを外部磁界から保護できるＲＡＩＤ用ＨＤＤの実装装置を提供する。【解決手段】実装装置は、第１ＨＤＤ１０に緩衝材４４，４５，４６を設けるための緩衝材固定片４０と、緩衝材固定片４０と一体化した第１ＨＤＤ１０を保持してコントロールボード３０を固定するための保持枠体５０と、第２ＨＤＤ２０に緩衝材６４を設けるとともに、実装時におけるユニット収納部８４の段部８５との協働によりパームレスト部８３から遠ざかるように配置するための緩衝材固定片６０と、緩衝材固定片６０と一体化した第２ＨＤＤ２０を保持して上記保持枠体５０と連結される保持箱体７０とから構成されている。【選択図】        図１
2005182936.tif 000002
【特許請求の範囲】
【請求項１】
複数の記憶装置を電子機器の実装箇所に実装するための記憶装置の実装装置であって、
前記一の記憶装置を保持する第１保持手段と、
前記他の一の記憶装置を保持する第２保持手段と、
を備え、
前記第１保持手段と前記第２保持手段は、前記一の記憶装置と前記他の一の記憶装置とが所定距離離間するように連結され、
前記第２保持手段は、前記実装箇所への実装時に前記他の一の記憶装置を前記外部磁界から遠ざかる方向に所定距離変位させた状態で保持することを特徴とする記憶装置の実装装置。
【請求項２】
前記第１保持手段及び前記第２保持手段は、それぞれ前記一の記憶装置及び前記他の一の記憶装置を緩衝材を介して保持することを特徴とする請求項１に記載の記憶装置の実装装置。
【請求項３】
前記第２保持手段は、前記他の一の記憶装置を外部磁界から遮蔽することを特徴とする請求項１または２に記載の記憶装置の実装装置。
【請求項４】
前記第２保持手段は、少なくとも前記外部磁界に面する側が閉塞された金属製の箱体として形成されていることを特徴とする請求項３に記載の記憶装置の実装装置。
【請求項５】
前記第２保持手段と前記第１保持手段は、互いを連結するための連結用鍔部をそれぞれ備え、当該連結用鍔部には前記連結の際に位置決めするためのダボまたはダボ穴を備えたことを特徴とする請求項１に記載の記憶装置の実装装置。
【請求項６】
前記第２保持手段と前記第１保持手段は、互いを連結するための連結用鍔部をそれぞれ備え、
前記他の一の記憶装置に予め設けられているねじ穴を利用することによって前記緩衝材を有した緩衝材固定片が当該他の一の記憶装置にねじ止めされ、
前記第２保持手段の連結用鍔部には、当該ねじ止めの際の作業スペースを確保するための逃げ部を備えたことを特徴とする請求項１または５に記載の記憶装置の実装装置。
【請求項７】
前記記憶装置は、ＲＡＩＤ用のハードディスクドライブ装置であることを特徴とする請求項１〜６のいずれか一つに記載の記憶装置の実装装置。
【請求項８】
前記第１保持手段は、前記一の記憶装置を保持するとともに前記一の記憶装置及び前記他の一の記憶装置の制御を行う制御基板を保持することを特徴とする請求項１〜７のいずれか一つに記載の記憶装置の実装装置。
【請求項９】
請求項８に記載の記憶装置の実装装置を用いて前記複数の記憶装置とこれらの前記制御基板とを一体化してなることを特徴とする記憶装置の一体化ユニット。
【請求項１０】
請求項９に記載の記憶装置の一体化ユニットを搭載したことを特徴とする電子機器。
【発明の詳細な説明】
【技術分野】
【０００１】
この発明は、記憶装置の実装装置及びそれを用いた記憶装置の一体化ユニット並びにその一体化ユニットを搭載した電子機器に関し、更に詳しくは、組立及び分解が容易であるとともに複数の記憶装置を省スペースで積層して電子機器に実装でき、しかも当該記憶装置を外部磁界から保護できる記憶装置の実装装置及びそれを用いた記憶装置の一体化ユニット並びにその一体化ユニットを搭載した電子機器に関する。
【背景技術】
【０００２】
従来より、デスクトップ型のパーソナルコンピュータ（以下、デスクトップパソコンと称する）は、記憶装置であるハードディスクドライブ装置（以下、ＨＤＤと略称する）を予め複数台搭載したものや、後から複数台に増設できるように構成されたものが公知である。このようなデスクトップパソコンでは、その筐体内に一対の案内レールが設けられており、この案内レールに沿ってＨＤＤをスライドさせて所定の場所に実装できるように構成されていることが多い。
【０００３】
たとえば、２つのＨＤＤを簡易に着脱でき、耐震性を備えた電子機器の防振構造が特許文献１に開示されている。この従来技術を図２９及び図３０に基づいて説明する。ここで、図２９は、従来技術に係る電子機器の防振構造を示す正面断面図、図３０は、従来技術に係る電子機器の防振構造を示す側面断面図である。
【０００４】
図２９に示すように、電子機器の筐体に脱着するホルダ２４０に、振動減衰手段２１１を介してサブホルダ２４１が装着されている。サブホルダ２４１には、水平方向に案内する一対のガイドレール２４２，２４３が設けられている。２つのＨＤＤ２１０は、それぞれユニットホルダ２４４，２４５に装着されている。そして、これらのユニットホルダ２４４，２４５が、ガイドレール２４２，２４３に対してスライド自在に装着されている。
【０００５】
また、図３０に示すように、各ＨＤＤ２１０には、コネクタ２４６が設けられている。各コネクタ２４６は、ユニットホルダ２４４，２４５のフローティングコネクタ２４７，２４８と電気的に接続されている。そして、フローティングコネクタ２４７，２４８は、基板２４９と電気的に接続されている。
【０００６】
また、フローティングコネクタ２４７，２４８は、機械的には所定範囲の変位を許容する浮遊状態となっている。基板２４９は、本体回路２５０とフレキシブルケーブル２５１を介して接続されている。
【０００７】
以上のように、２つのＨＤＤ２１０がサブホルダ２４１に取り付けられ、このサブホルダ２４１が振動減衰手段２１１を介してホルダ２４０に装着されているので、ホルダ２４０を電子機器の筐体内に取り付ける時に、ホルダ２４０とサブホルダ２４１との間で振動が減衰する。
【０００８】
また、各ＨＤＤ２１０は、ガイドレール２４２，２４３によって案内されるので、サブホルダ２４１に対して容易に着脱される。振動減衰手段２１１は、２つのＨＤＤ２１０に対してホルダ２４０とサブホルダ２４１との間に共通に設けてあるので、各ＨＤＤ２１０毎に設ける場合に比較して省スペース化が図られる。
【０００９】
【特許文献１】特開２００３−３１４６１３号公報
【発明の開示】
【発明が解決しようとする課題】
【００１０】
しかしながら、上記従来にあっては、２つのＨＤＤ２１０を保持するサブホルダ２４１全体をホルダ２４０に対して減衰するという、比較的大がかりな構造であるので、実装スペースに余裕のあるデスクトップ型のパーソナルコンピュータ（以下、デスクトップパソコンと称する）には適するものの、携帯型電子機器の一種であるパーソナルコンピュータ（以下、ノートパソコンと称する）に対しては、実装スペースが極めて少ないため、適さない。
【００１１】
特に近年は、複数のＨＤＤを内蔵し、同時に同一のデータを書き込むことで二重化することができるＲＡＩＤ（Redundant Array of Inexpensive Disks)機能を備えたノートパソコンの開発が要請されているが、このようなノートパソコンに対して上記従来構造を適用するのは、上記実装スペースの観点から、困難であるという課題があった。
【００１２】
更に、ノートパソコンのような携帯型電子機器の場合には、実装スペースの制約から、ＨＤＤ等が筐体に近接して内蔵されているため、外部磁界の影響を受けやすく、磁気ディスクが損傷してデータが使用不能となる等、その不利益は計り知れないものとなる。しかしながら、このような外部磁界からＨＤＤを保護するための具体的手段は、上記特許文献には何ら開示されていない。
【００１３】
また、上記携帯型電子機器に複数のＨＤＤを着脱する場合には、他の構成要素が高密度に実装されているため、組立及び分解が容易であることも要請されている。
【００１４】
この発明は、上記に鑑みてなされたものであって、組立及び分解が容易であるとともに複数の記憶装置を省スペースで積層して実装でき、しかも当該記憶装置を外部磁界から保護できる記憶装置の実装装置を提供することを目的とする。
【００１５】
また、この発明は、組立及び分解が容易であるとともに複数の記憶装置を省スペースで積層して実装でき、しかも当該記憶装置を外部磁界から保護できる記憶装置の一体化ユニットを提供することを目的とする。
【００１６】
また、この発明は、組立及び分解が容易であるとともに複数の記憶装置を省スペースで積層して実装でき、しかも当該記憶装置を外部磁界から保護できる記憶装置の一体化ユニットを搭載した電子機器を提供することを目的とする。
【課題を解決するための手段】
【００１７】
上述した課題を解決し、目的を達成するために、本発明は、複数の記憶装置を電子機器の実装箇所に実装するための記憶装置の実装装置であって、前記一の記憶装置を保持する第１保持手段と、前記他の一の記憶装置を保持する第２保持手段とを備え、前記第１保持手段と前記第２保持手段は、前記一の記憶装置と前記他の一の記憶装置とが所定距離離間するように連結され、前記第２保持手段は、前記実装箇所への実装時に前記他の一の記憶装置を前記外部磁界から遠ざかる方向に所定距離変位させた状態で保持することを特徴とするものである。
【００１８】
したがって、本発明によれば、各記憶装置が互いに磁気的干渉から保護されるとともに、他の一の記憶装置は外部磁界からも保護される。
【００１９】
また、本発明は、前記第１保持手段及び前記第２保持手段は、それぞれ前記一の記憶装置及び前記他の一の記憶装置を緩衝材を介して保持することを特徴とするものである。
【００２０】
したがって、本発明によれば、各記憶装置が振動及び衝撃から保護される。
【００２１】
また、本発明は、前記第２保持手段は、前記他の一の記憶装置を外部磁界から遮蔽することを特徴とするものである。
【００２２】
したがって、本発明によれば、前記他の一の記憶装置を外部磁界から遮蔽され、当該記憶装置の動作が安定し、またデータ等が保護される。
【００２３】
また、本発明は、前記第２保持手段は、少なくとも前記外部磁界に面する側が閉塞された金属製の箱体として形成されていることを特徴とするものである。
【００２４】
したがって、本発明によれば、第２保持手段をプレス加工等により容易に製造できるとともに、外部磁界を遮蔽するための表面積を容易に確保することができる。
【００２５】
また、本発明は、前記第２保持手段と前記第１保持手段は、互いを連結するための連結用鍔部をそれぞれ備え、当該連結用鍔部には前記連結の際に位置決めするためのダボまたはダボ穴を備えたことを特徴とするものである。
【００２６】
したがって、本発明によれば、第２保持手段と前記第１保持手段とが迅速に位置決めされ、組み立て作業効率が向上する。
【００２７】
また、本発明は、前記第２保持手段と前記第１保持手段は、互いを連結するための連結用鍔部をそれぞれ備え、前記他の一の記憶装置に予め設けられているねじ穴を利用することによって前記緩衝材を有した緩衝材固定片が当該他の一の記憶装置にねじ止めされ、前記第２保持手段の連結用鍔部には、当該ねじ止めの際の作業スペースを確保するための逃げ部を備えたことを特徴とするものである。
【００２８】
したがって、本発明によれば、組立・分解の作業性を損なうことなく、標準規格化された記憶装置のねじ穴を利用することができる。
【００２９】
また、本発明は、前記記憶装置は、ＲＡＩＤ用のハードディスクドライブ装置であることを特徴とするものである。
【００３０】
したがって、本発明によれば、複数の記憶装置を内蔵し、同時に同一のデータを書き込むことで二重化することができるので、万が一のＨＤＤ故障時にも迅速なシステム復旧を行うことができる。
【００３１】
また、本発明は、前記第１保持手段は、前記一の記憶装置を保持するとともに前記一の記憶装置及び前記他の一の記憶装置の制御を行う制御基板を保持することを特徴とするものである。
【００３２】
したがって、本発明によれば、専用の制御基板を積層して一体化できるため、省スペース性とメンテナンス性に優れたものとなる。
【００３３】
また、本発明は、前記記憶装置の実装装置を用いて前記複数の記憶装置とこれらの前記制御基板とを一体化してなることを特徴とするものである。
【００３４】
したがって、本発明によれば、複数の記憶装置とこれらの制御基板とを一体化して扱えるので、メンテナンス性を向上させることができる。
【００３５】
また、本発明は、前記記憶装置の一体化ユニットを搭載したことを特徴とするものである。
【００３６】
したがって、本発明によれば、一体化ユニットを一体的に扱えるので、電子機器のメンテナンス性を向上させることができる。
【発明の効果】
【００３７】
本発明によれば、各記憶装置が互いに磁気的干渉から保護されるとともに、他の一の記憶装置は外部磁界からも保護されるという効果を奏する。
【００３８】
また、本発明によれば、各記憶装置を振動及び衝撃から保護することができるという効果を奏する。
【００３９】
また、本発明によれば、他の一の記憶装置を外部磁界から遮蔽して、当該記憶装置の動作を安定させることができ、データ等を保護することができるという効果を奏する。
【００４０】
また、本発明によれば、第２保持手段をプレス加工等により容易に製造できるとともに、外部磁界を遮蔽するための表面積を容易に確保することができるという効果を奏する。
【００４１】
また、本発明によれば、第２保持手段と前記第１保持手段とを迅速に位置決めすることができ、組み立て作業効率を向上させることができるという効果を奏する。
【００４２】
また、本発明によれば、組立・分解の作業性を損なうことなく、標準規格化された記憶装置のねじ穴を利用することができるという効果を奏する。
【００４３】
また、本発明によれば、複数の記憶装置を内蔵し、同時に同一のデータを書き込むことで二重化することができるので、万が一のＨＤＤ故障時にも迅速なシステム復旧を行うことができるという効果を奏する。
【００４４】
また、本発明によれば、専用の制御基板を積層して一体化できるため、省スペース性を格段に向上させることができるとともに、メンテナンス性も向上させることができるという効果を奏する。
【００４５】
また、本発明によれば、複数の記憶装置とこれらの制御基板とを一体化して扱えるので、メンテナンス性を向上させることができるという効果を奏する。
【００４６】
また、本発明によれば、一体化ユニットを一体的に扱えるので、電子機器のメンテナンス性を向上させることができるという効果を奏する。
【発明を実施するための最良の形態】
【００４７】
以下に、この発明に係るＨＤＤの実装装置及びそれを用いた一体化ユニット並びにその一体化ユニットを搭載したノートパソコンの実施例を図面に基づいて詳細に説明する。なお、この実施例によりこの発明が限定されるものではない。
【実施例】
【００４８】
図１は、この発明の実施例に係るＲＡＩＤ用ＨＤＤの一体化ユニットの組立斜視図である。図２は、一体化ユニットを搭載したノートパソコン本体を示す平面図、図３は、ノートパソコン本体を示す底面図、図４は、ノートパソコン本体を示す側面図である。
【００４９】
図１に示すように、本実施例に係るＲＡＩＤ用ＨＤＤの実装装置（以下、実装装置と称する）は、第１の記憶装置である第１ＨＤＤ１０と、第２の記憶装置である第２ＨＤＤ２０と、これらの専用の制御基板であるコントロールボード３０とをコンパクトに一体化して一体化ユニット１００とし、この一体化ユニット１００を外部磁界からの影響を抑制できるようにノートパソコン本体８０のユニット収納部８４に実装するためのものである。
【００５０】
また、図１に示すように、この実装装置は、第１ＨＤＤ１０に緩衝材４４，４５，４６（図６〜図８参照）を設けるための緩衝材固定片４０と、緩衝材固定片４０と一体化した第１ＨＤＤ１０を保持してコントロールボード３０を固定するための保持枠体（第１保持手段）５０と、第２ＨＤＤ２０に緩衝材６４を設けるとともに、実装時におけるユニット収納部８４の段部８５との協働によりパームレスト部８３から遠ざかるように配置するための緩衝材固定片６０と、緩衝材固定片６０と一体化した第２ＨＤＤ２０を保持して上記保持枠体５０と連結される保持箱体（第２保持手段）７０とから主に構成されている。
【００５１】
なお、この緩衝材４４，４５，４６，６４、及び後述する緩衝材５９，７９は、所定の衝撃吸収能力を有するゴム等の弾性材にて形成されている。
【００５２】
図２〜図４に示すように、一体化ユニット１００を搭載するノートパソコン本体８０は、キーボード部８１と液晶表示部８２と、パームレスト部８３とに大別され、このうち外部磁界の影響を大きく受けやすいのは、パームレスト部８３である。
【００５３】
なぜならば、図１に示すように、一体化ユニット１００を収納すべきユニット収納部８４は、パームレスト部８３の裏側に位置しており、キーボード部８１の使用時にパームレスト部８３上にユーザーの手首部分が載置され、磁気リングや磁気ブレスレット等から強い外部磁界を受けやすいからである。
【００５４】
なお、一体化ユニット１００をユニット収納部８４に搭載した後には、裏蓋８６が設けられる。また、図４に示すように、ノートパソコン本体８０の筐体には、通常設けられる放熱対策用の通気孔の他に、一体化ユニット１００が搭載された箇所の近傍に更に通気孔８７が設けられ、放熱対策を強化してある。
【００５５】
つぎに、第１ＨＤＤ１０及びコントロールボード３０に係る実装装置について図５〜図１５に基づいて更に詳しく説明する。ここで、図５は、第１ＨＤＤを示す平面図、図６は、緩衝材固定片を取り付けた第１ＨＤＤを示す平面図、図７は、図６に示した第１ＨＤＤをＡ方向から見た側面を示す側面図、図８は、図６に示した第１ＨＤＤをＢ方向から見た側面を示す側面図である。
【００５６】
また、図９は、コントロールボードを固定した第１ＨＤＤを示す背面図、図１０は、図９に示した第１ＨＤＤをＣ方向から見た側面を示す側面図、図１１は、コントロールボードを固定した第１ＨＤＤを示す正面図である。
【００５７】
また、図１２は、コントロールボード及び保持枠体を固定した第１ＨＤＤを示す正面図、図１３は、図１２に示した第１ＨＤＤをＤ方向から見た側面を示す側面図、図１４は、図１２に示した第１ＨＤＤをＥ方向から見た側面を示す側面図、図１５は、図１２に示した第１ＨＤＤをＦ方向から見た側面を示す側面図である。
【００５８】
図５〜図８に示すように、ステンレス等の金属板からなる緩衝材固定片４０は、表裏に緩衝材４４を設けるための水平鍔部４１と、緩衝材４５を設けるための折曲部４２とを備え、第１ＨＤＤ１０の両側面にねじ４７によって固定されている。また、緩衝材固定片４０には、緩衝材４６も設けられている。
【００５９】
図１及び図９〜図１５に示すように、このように緩衝材固定片４０と一体となった第１ＨＤＤ１０は、その端子部１１をコントロールボード３０のコネクタ３８と接続され、保持枠体５０によって保持され固定される。なお、第１ＨＤＤ１０とコントロールボード３０との間には、絶縁シート３５が設けられている。
【００６０】
第１ＨＤＤ１０及び第２ＨＤＤ２０の専用制御基板であるコントロールボード３０は、ノートパソコン本体８０内の回路とケーブル８９（図２８参照）によって電気的に接続するためのコネクタ３２と、第１ＨＤＤ１０を接続するためのコネクタ３８と、フラットケーブル３９を接続するためのコネクタ３７を備えている。また、コントロールボード３０には、ねじ３６を挿通するための穴３３が設けられている。
【００６１】
保持枠体５０は、全体をほぼコ字形状に形成され、固定用突片部５２と、支持片５３と、連結用鍔部５４とを備えている。固定用突片部５２には、コントロールボード３０をねじ３６によって固定するためのねじ穴５２ａが設けられている。また、固定用突片部５２には、緩衝材固定片４０の緩衝材４４部分が収まる凹部５２ｂが設けられている。
【００６２】
また、連結用鍔部５４には、保持箱体７０の連結用鍔部７４とねじ５７によって連結するためのねじ穴５５が設けられている。この連結用鍔部５４と連結用鍔部７４の連結の際の位置決めは、連結用鍔部５４に設けられたダボ５６と、連結用鍔部７４に設けられたダボ穴７７とを係合させることによって容易に行うことができる。
【００６３】
なお、切り欠き部５８は、第１ＨＤＤ１０のねじ４７を、図示しないドライバー等の工具によって締め付け、あるいは緩める作業をする際に、当該作業の邪魔にならないように設けたものである。また、保持枠体５０の四隅の内面には、緩衝材５９が設けられている。
【００６４】
つぎに、第２ＨＤＤ２０の実装装置について図１６〜図２０に基づいて更に詳しく説明する。ここで、図１６は、緩衝材固定片が設けられ保持箱体に保持された第２ＨＤＤを示す底面図、図１７は、図１６に示した第２ＨＤＤをＧ方向から見た側面を示す側面図である。
【００６５】
また、図１８は、緩衝材固定片が設けられ保持箱体に保持された第２ＨＤＤを示す正面図、図１９は、図１８に示した第２ＨＤＤをＨ方向から見た側面を示す側面図、図２０は、図１８に示した第２ＨＤＤをＩ方向から見た側面を示す側面図である。
【００６６】
これらの図において、第２ＨＤＤ２０の構成は、第１ＨＤＤ１０の構成と同様である。第２ＨＤＤ２０の端子部２１（図１参照）には、フラットケーブル３９が接続される。ねじ穴２２は、第２ＨＤＤ２０の標準規格（SFF：Small Form Factor）位置に設けられているものであり、本実施例では、緩衝材固定片６０をねじ６６によって固定するために用いられている。
【００６７】
また、図１、図１６及び図１７に示すように、ステンレス等の金属板からなる緩衝材固定片６０は、表裏に緩衝材６４を設けるための水平突片部６１と、ねじ６６を挿通するためのねじ穴６２とを備え、第２ＨＤＤ２０の両側面にねじ６６によって固定されている。
【００６８】
つぎに、保持箱体７０について説明する。図１に示すように、ステンレス等の金属板からなる保持箱体７０は、上面及び一の側面を開放して有底箱状に形成されている。保持箱体７０の両側面に設けられた穴７１は、ねじ６６の挿通スペースとなるとともに、緩衝材固定片６０の緩衝材６４部分が実装時に上下方向に所定距離Ｓ（図２６及び図２７参照）だけ移動できるように形成されている。
【００６９】
なお、ねじ６６の頭は、平らに形成されている。また、係止片７２は、第２ＨＤＤ２０の水平方向の移動を規制し、第２ＨＤＤ２０が保持箱体７０から脱落するのを防止するためのものである。
【００７０】
また、保持箱体７０の両側面の上縁部からは、連結用鍔部７４が外方に向かって水平に延設されている。この連結用鍔部７４には、保持枠体５０の連結用鍔部５４とねじ５７で連結するためのねじ穴７６が設けられている。
【００７１】
また、連結用鍔部７４には、このねじ穴７６と連結用鍔部５４のねじ穴５５とを位置決めするために、連結用鍔部５４のダボ５６と対応する位置にダボ穴７７が設けられている。ねじ穴７８は、ねじ８８を挿通するためのものである。すなわち、保持箱体７０をユニット収納部８４に収納してから、このねじ８８をねじ穴８５ａにねじ込むことにより、一体化ユニット１００がノートパソコン本体８０のユニット収納部８４に固定される。
【００７２】
また、ねじ逃げ部７５は、第２ＨＤＤ２０に緩衝材固定片６０をねじ６６によって着脱する際に、このねじ６６が連結用鍔部７４と干渉しないように設けたものである。すなわち、第２ＨＤＤ２０のねじ穴２２は、標準規格位置に設けられているので、その位置を変更することはできない。上記干渉を避けるために、ねじ６６を挿通する穴７１を、高さ方向に大きめに形成することもできる。
【００７３】
しかし、これにより保持箱体７０全体の高さが高くなり、コンパクト性が失われる。特に、高密度実装で小型・軽量化を要求されるノートパソコン本体８０においては、好ましくない。そこで、保持箱体７０のコンパクト性を犠牲にすることなく、ねじ６６が連結用鍔部７４と干渉しないようにするために、連結用鍔部７４のうち当該干渉に関わる箇所のみに、上方に凸となるねじ逃げ部７５を湾曲形成した。これにより、穴７１が上方（図１７参照）に広げられ、上記コンパクト性を犠牲にすることなく、ねじ６６と連結用鍔部７４との干渉を容易に回避できる。
【００７４】
なお、保持箱体７０内部の四隅には、緩衝材７９が設けられている。また、図２８に示すように、ノートパソコン本体８０の段部８５には、保持箱体７０との電気的接続（アース接続）を図るために、金属製（たとえば、リン青銅やアルミ製）のレール８５ｂが設けられている。
【００７５】
また、このレール面には、ねじ穴７８とねじ穴８５ａとの位置決めを行い易くするために、適宜の凹凸が形成されている。ここで、図２８は、一体化ユニットをノートパソコン本体のユニット収納部に収納した状態を示す部分正面図である。
【００７６】
つぎに、一体化ユニット１００について図２１〜図２５に基づいて説明する。ここで、図２１は、フラットケーブルにより接続された第１ＨＤＤ及び第２ＨＤＤを一体化する様子を示す側面図、図２２は、一体化ユニットを示す側面図、図２３は、一体化ユニットを示す底面図である。
【００７７】
また、図２４は、図２３に示した一体化ユニットをＪ方向から見た側面を示す側面図、図２５は、図２３に示した一体化ユニットをＫ方向から見た側面を示す側面図である。
【００７８】
図２１に示すように、第２ＨＤＤ２０とコントロールボード３０とは、フラットケーブル３９によって電気的に接続されている。フラットケーブル３９は、可撓性を有しているので、同図中の想像線の矢印で示すように、第２ＨＤＤ２０とコントロールボード３０をフラットケーブル３９で接続した後に、容易に保持箱体７０を保持枠体５０に近づけることができる。したがって、両者の連結作業をスムーズに行うことができる。
【００７９】
また、図２２〜図２５に示すように、一体化ユニット１００は、第１ＨＤＤ１０と第２ＨＤＤ２０とコントロールボード３０とが極めてコンパクトに一体化できているとともに、上記各緩衝材４４，４５，４６，５９，６４，７９を設けたことによって、振動や衝撃に対して所定の耐久性を確保することができ、更に金属製の保持箱体７０等によって外部磁界の影響もある程度排除し得る。
【００８０】
また、この一体化ユニット１００は、ノートパソコン本体８０のユニット収納部８４に実装した時に、外部磁界の影響を更に抑制できるように構成されている。この作用について図２６〜図２７に基づいて説明する。
【００８１】
ここで、図２６は、一体化ユニットをノートパソコン本体のユニット収納部に収納する前の状態を示す部分断面図、図２７は、一体化ユニットをノートパソコン本体のユニット収納部に収納した状態を示す部分断面図であり、第２ＨＤＤが保持箱体の底部から所定距離浮き上がった状態を示すものである。
【００８２】
図２６及び図２７に示すように、緩衝材固定片６０と一体となっている第２ＨＤＤ２０は、ユニット収納部８４への収納時に緩衝材６４が段部８５から押圧されることにより、一定の距離Ｓだけ持ち上がるように構成されている。
【００８３】
第２ＨＤＤ２０は、パームレスト部８３の近い側の面を金属製の保持箱体７０によって覆われているので、これだけでも所定強度の外部磁界を遮蔽する効果を有している。これに加えて、図２７に示すように、一体化ユニット１００がユニット収納部８４に実装された後には、保持箱体７０の底部と所定の間隔Ｓを確保することができる。したがって、第２ＨＤＤ２０は、パームレスト部８３上のユーザーの磁気リングや磁気ブレスレット等からの強い外部磁界をも効果的に遮蔽することができる。
【００８４】
以上のように、この実施例に係る実装装置及びそれを用いた一体化ユニット１００は、組立及び分解が容易であるとともに、２つのＨＤＤ１０，２０を省スペースで積層して実装でき、しかもこれらを外部磁界から保護することができる。したがって、この実施例に係る実装装置及びそれを用いた一体化ユニット１００は、振動・衝撃や外部磁界の影響を嫌い、コンパクトな搭載を要求されるノートパソコン本体８０への搭載に適している。
【００８５】
また、ノートパソコン本体８０は、ユーザーに携帯される機会が多いため、過酷な振動・衝撃環境にさらされる機会も多い。このノートパソコン本体８０は、２つのＨＤＤ１０，２０を内蔵しているので、同時に同一のデータを書き込むことで二重化することができる。したがって、上記のような過酷な振動・衝撃環境下において、万一、いずれか一方のＨＤＤ１０，２０に保存されているデータにエラーが発生した場合、またはいずれか一方のＨＤＤ１０，２０が故障した場合であっても、もう一方のＨＤＤに全く同一のデータが保存されているため、貴重なデータの損失を防止できるとともに、短時間で当該データの利用を再開することができる。
【００８６】
また、上記故障した、いずれか一方のＨＤＤを正常な物と交換することで、当該交換したＨＤＤに、元のＲＡＩＤ１（mirroring：ミラーリング）機能を利用することができる。これにより、ソフトウェアを利用したデータバックアップと異なり、常に最新のデータが二重化されるため、効率よくデータ管理をすることができる。
【００８７】
また、上述したように、一体化ユニット１００の組立・分解作業は、ねじ部品をドライバーで締結あるいは外すのみで容易に行うことができるので、メンテナンス性が極めて良い。また、上記実装装置を用いれば、ユーザーは後から第２ＨＤＤ２０のみを追加することにより、容易にＲＡＩＤ機能を備えたノートパソコンにレベルアップすることができる。
【００８８】
なお、上記実施例においては、記憶装置としてＨＤＤを例にして説明したが、これに限定されず、振動・衝撃や外部磁界の影響を嫌い、コンパクトな搭載を要求されるすべての記憶装置について本発明を適用することができる。また、これらの記憶装置は、記録情報の読み出し専用のものであってもよく、また読み出し及び書き込みの双方を行えるものであってもよい。たとえば、この記憶装置は、光ディスクドライブ装置や光磁気ディスクドライブ装置等であってもよい。
【００８９】
また、上記実施例においては、一体化ユニット１００を搭載する電子機器として、ノートパソコン本体８０を例にして説明したが、これに限定されず、たとえば、過酷な振動状況下で使用される車載用や携帯用のナビゲーション装置やＡＶ（Audio Visual）機器、ゲーム機であってもよい。また、省スペース筐体を要求されるデスクトップパソコンに本実施例を適用することも可能である。
【００９０】
（付記１）複数の記憶装置を電子機器の実装箇所に実装するための記憶装置の実装装置であって、
前記一の記憶装置を保持する第１保持手段と、
前記他の一の記憶装置を保持する第２保持手段と、
を備え、
前記第１保持手段と前記第２保持手段は、前記一の記憶装置と前記他の一の記憶装置とが所定距離離間するように連結され、
前記第２保持手段は、前記実装箇所への実装時に前記他の一の記憶装置を前記外部磁界から遠ざかる方向に所定距離変位させた状態で保持することを特徴とする記憶装置の実装装置。
【００９１】
（付記２）前記第１保持手段及び前記第２保持手段は、それぞれ前記一の記憶装置及び前記他の一の記憶装置を緩衝材を介して保持することを特徴とする付記１に記載の記憶装置の実装装置。
【００９２】
（付記３）前記第２保持手段は、前記他の一の記憶装置を外部磁界から遮蔽することを特徴とする付記１または２に記載の記憶装置の実装装置。
【００９３】
（付記４）前記第２保持手段は、少なくとも前記外部磁界に面する側が閉塞された金属製の箱体として形成されていることを特徴とする付記３に記載の記憶装置の実装装置。
【００９４】
（付記５）前記第２保持手段と前記第１保持手段は、互いを連結するための連結用鍔部をそれぞれ備え、当該連結用鍔部には前記連結の際に位置決めするためのダボまたはダボ穴を備えたことを特徴とする付記１に記載の記憶装置の実装装置。
【００９５】
（付記６）前記第２保持手段と前記第１保持手段は、互いを連結するための連結用鍔部をそれぞれ備え、
前記他の一の記憶装置に予め設けられているねじ穴を利用することによって前記緩衝材を有した緩衝材固定片が当該他の一の記憶装置にねじ止めされ、
前記第２保持手段の連結用鍔部には、当該ねじ止めの際の作業スペースを確保するための逃げ部を備えたことを特徴とする付記１または５に記載の記憶装置の実装装置。
【００９６】
（付記７）前記記憶装置は、ＲＡＩＤ用のハードディスクドライブ装置であることを特徴とする付記１〜６のいずれか一つに記載の記憶装置の実装装置。
【００９７】
（付記８）前記第１保持手段は、前記一の記憶装置を保持するとともに前記一の記憶装置及び前記他の一の記憶装置の制御を行う制御基板を保持することを特徴とする付記１〜７のいずれか一つに記載の記憶装置の実装装置。
【００９８】
（付記９）付記８に記載の記憶装置の実装装置を用いて前記複数の記憶装置とこれらの前記制御基板とを一体化してなることを特徴とする記憶装置の一体化ユニット。
【００９９】
（付記１０）付記９に記載の記憶装置の一体化ユニットを搭載したことを特徴とする電子機器。
【０１００】
（付記１１）前記記憶装置の一体化ユニットを搭載する収納部には、当該一体化ユニットと電気的接続をする案内レールを備えたことを特徴とする付記１０に記載の電子機器。
【０１０１】
（付記１２）前記記憶装置の一体化ユニットが実装される箇所の近傍の筐体に通気孔を備えたことを特徴とする付記１０または１１に記載の電子機器。
【０１０２】
（付記１３）前記電子機器は、ノートパソコン、デスクトップパソコン、車載用あるいは携帯用のナビゲーション装置、オーディオビジュアル機器、ゲーム機のうちのいずれかであることを特徴とする付記１０〜１２のいずれか一つに記載の電子機器。
【０１０３】
（付記１４）前記記憶装置の一体化ユニットを搭載する収納部には、当該一体化ユニットと排他的で他のユニットを搭載可能であることを特徴とする付記１０〜１３のいずれか一つに記載の電子機器。
【０１０４】
（付記１５）可搬型電子機器において、
第１の記憶装置を保持する第１保持手段と、
第２の記憶装置を保持する第２保持手段と、
を備え、
前記第１保持手段と前記第２保持手段は、前記第１の記憶装置と前記第２の記憶装置とが所定距離離間するように積層連結され、前記第１の記憶装置と前記第２の記憶装置を制御する制御基板とともに当該可搬型電子機器の収納部に収納されることを特徴とする可搬型電子機器。
【産業上の利用可能性】
【０１０５】
以上のように、この発明に係る記憶装置の実装装置は、ＨＤＤ等の複数の記憶装置をノートパソコン等の電子機器に実装する手段として有用であり、特に、組立及び分解が容易であるとともに２つのＨＤＤを省スペースで積層して実装でき、しかも当該ＨＤＤを外部磁界から保護できるＲＡＩＤ用ＨＤＤの実装に適している。
【図面の簡単な説明】
【０１０６】
【図１】この発明の実施例に係るＲＡＩＤ用ＨＤＤの一体化ユニットの組立斜視図である。
【図２】一体化ユニットを搭載したノートパソコン本体を示す平面図である。
【図３】ノートパソコン本体を示す底面図である。
【図４】ノートパソコン本体を示す側面図である。
【図５】第１ＨＤＤを示す平面図である。
【図６】緩衝材固定片を取り付けた第１ＨＤＤを示す平面図である。
【図７】図６に示した第１ＨＤＤをＡ方向から見た側面を示す側面図である。
【図８】図６に示した第１ＨＤＤをＢ方向から見た側面を示す側面図である。
【図９】コントロールボードを固定した第１ＨＤＤを示す背面図である。
【図１０】図９に示した第１ＨＤＤをＣ方向から見た側面を示す側面図である。
【図１１】コントロールボードを固定した第１ＨＤＤを示す正面図である。
【図１２】コントロールボード及び保持枠体を固定した第１ＨＤＤを示す正面図である。
【図１３】図１２に示した第１ＨＤＤをＤ方向から見た側面を示す側面図である。
【図１４】図１２に示した第１ＨＤＤをＥ方向から見た側面を示す側面図である。
【図１５】図１２に示した第１ＨＤＤをＦ方向から見た側面を示す側面図である。
【図１６】緩衝材固定片が設けられ保持箱体に保持された第２ＨＤＤを示す底面図である。
【図１７】図１６に示した第２ＨＤＤをＧ方向から見た側面を示す側面図である。
【図１８】緩衝材固定片が設けられ保持箱体に保持された第２ＨＤＤを示す正面図である。
【図１９】図１８に示した第２ＨＤＤをＨ方向から見た側面を示す側面図である。
【図２０】図１８に示した第２ＨＤＤをＩ方向から見た側面を示す側面図である。
【図２１】フラットケーブルにより接続された第１ＨＤＤ及び第２ＨＤＤを一体化する様子を示す側面図である。
【図２２】一体化ユニットを示す側面図である。
【図２３】一体化ユニットを示す底面図である。
【図２４】図２３に示した一体化ユニットをＪ方向から見た側面を示す側面図である。
【図２５】図２３に示した一体化ユニットをＫ方向から見た側面を示す側面図である。
【図２６】一体化ユニットをノートパソコン本体のユニット収納部に収納する前の状態を示す部分断面図である。
【図２７】一体化ユニットをノートパソコン本体のユニット収納部に収納した状態を示す部分断面図である。
【図２８】一体化ユニットをノートパソコン本体のユニット収納部に収納した状態を示す部分正面図である。
【図２９】従来技術に係る電子機器の防振構造を示す正面断面図である。
【図３０】従来技術に係る電子機器の防振構造を示す側面断面図である。
【符号の説明】
【０１０７】
１０  第１ＨＤＤ
２０  第２ＨＤＤ
２２  ねじ穴
３０  コントロールボード
３６  ねじ
３７  コネクタ
３８  コネクタ
３９  フラットケーブル
４０  緩衝材固定片
４１  水平鍔部
４４、４５、４６  緩衝材
４７  ねじ
５０  保持枠体
５２  固定用突片部
５２ａ  ねじ穴
５４  連結用鍔部
５５  ねじ穴
５６  ダボ
５７  ねじ
５９  緩衝材
６０  緩衝材固定片
６１  水平突片部
６４  緩衝材
６６  ねじ
７０  保持箱体
７１  穴
７４  連結用鍔部
７５  ねじ逃げ部
７６、７８  ねじ穴
７７  ダボ穴
７９  緩衝材
８０  ノートパソコン本体
８３  パームレスト部
８４  ユニット収納部
８５  段部
８５ａ  ねじ穴
８５ｂ  レール
８７  通気孔
８８  ねじ
１００  一体化ユニット
Ｓ  距離
【図１】
2005182936.tif 000003
【図２】
2005182936.tif 000004
【図３】
2005182936.tif 000005
【図４】
2005182936.tif 000006
【図５】
2005182936.tif 000007
【図６】
2005182936.tif 000008
【図７】
2005182936.tif 000009
【図８】
2005182936.tif 000010
【図９】
2005182936.tif 000011
【図１０】
2005182936.tif 000012
【図１１】
2005182936.tif 000013
【図１２】
2005182936.tif 000014
【図１３】
2005182936.tif 000015
【図１４】
2005182936.tif 000016
【図１５】
2005182936.tif 000017
【図１６】
2005182936.tif 000018
【図１７】
2005182936.tif 000019
【図１８】
2005182936.tif 000020
【図１９】
2005182936.tif 000021
【図２０】
2005182936.tif 000022
【図２１】
2005182936.tif 000023
【図２２】
2005182936.tif 000024
【図２３】
2005182936.tif 000025
【図２４】
2005182936.tif 000026
【図２５】
2005182936.tif 000027
【図２６】
2005182936.tif 000028
【図２７】
2005182936.tif 000029
【図２８】
2005182936.tif 000030
【図２９】
2005182936.tif 000031
【図３０】
2005182936.tif 000032